(57)【要約】【課題】  所望の音響効果が得られるのはもちろんのこと、音響反射板装置における小型軽量化を可能にして、セッティング時あるいは収納に際しての移動を容易にする。【解決手段】  舞台Ｓの正面奥側に配在される正面反射板１が舞台Ｓの正面奥壁Ｓ１に保持されたリンク機構４に連繋されると共に正面反射板１の上端が正面奥壁Ｓ１に沿って垂下される牽引体５に吊持され、舞台Ｓの上方に配在される天井反射板３の基端が正面反射板１の上端に回動可能に連繋されると共に天井反射板３の先端側が舞台Ｓの上方から垂下される牽引体６に吊持されてなる。【選択図】        図１
2005052268.tif 000002
【特許請求の範囲】
【請求項１】
舞台の正面奥側に配在される正面反射板と、舞台の脇側に配在される側面反射板と、舞台の上方に配在される天井反射板とを有してなる音響反射板装置において、正面反射板が舞台の正面奥壁に保持されたリンク機構に連繋されると共に正面反射板の上端が正面奥壁に沿って垂下される牽引体に吊持され、天井反射板の基端が正面反射板の上端に回動可能に連繋されると共に天井反射板の先端側が舞台上方から垂下される牽引体に吊持されてなることを特徴とする音響反射板装置
【請求項２】
側面反射板が舞台の奥行き方向に折り畳み可能に形成されてなる請求項１に記載の音響反射板装置
【請求項３】
側面反射板が正面反射板に回動可能に連繋されてなる請求項１に記載の音響反射板装置
【請求項４】
側面反射板が正面反射板と分離可能とされると共に舞台の上方との間で昇降可能とされてなる請求項１に記載の音響反射板装置
【発明の詳細な説明】
【技術分野】
【０００１】
この発明は、音響反射板装置に関し、特に、劇場の舞台などに設けられる可動式に設定の音響反射板装置の改良に関する。
【背景技術】
【０００２】
たとえば、劇場の舞台などに設けられる可動式に設定の音響反射板装置としては、従来から、種々の提案があるが、その中に、音響反射板装置が正面反射板，側面反射板および天井反射板の互いに連繋される各反射板を有してなり、利用時には、連繋された状態の各反射板を舞台上で展開すると共に、不使用時には、連繋状態の各反射板を折り畳み状態にして舞台の正面奥壁に副わせるように集積するとの提案がある（たとえば、特許文献１参照）。
【０００３】
それゆえ、この提案によれば、各反射板を折り畳み状態のまま正面奥壁と舞台との間で上下動させるように移動させることで、使用時のセッティングを可能にし得ると共に、不使用時の格納を可能にし得ることになる。
【特許文献１】特許公開２００１‐１３２１３５号（特許請求の範囲，図１，図２）
【発明の開示】
【発明が解決しようとする課題】
【０００４】
しかしながら、上記の提案にあっては、音響反射板装置における小型軽量化を図り難くする不具合がある。
【０００５】
すなわち、上記の提案にあって、正面反射板は、その背面に連設されていわゆる起立状態に維持される支持フレームに支持されているが、音響反射板装置の不使用時には、天井反射板を正面反射板の上端上方に起立させた状態にし、この状態で、正面反射板を支持する支持フレームに一体的に副わせるとしている。
【０００６】
それゆえ、支持フレームの高さは、正面反射板の高さを超えるのはもちろんだが、この正面反射板の上に天井反射板を連続させた長さに形成されることが必須になる。
【０００７】
その結果、支持フレームが高く、すなわち、長く形成されるから、音響反射板装置全体の大型化や重量の増大化を招来し、したがって、この支持フレームを正面奥壁と舞台との間で上下動させるように移動させるについて多大なエネルギーを要することになり、いわゆる省エネを困難にすることになる。
【０００８】
この発明は、上記した事情を鑑みて創案されたものであって、その目的とするところは、所望の音響効果が得られるのはもちろんのこと、音響反射板装置における小型軽量化を可能にして、セッティング時あるいは格納に際しての移動を容易にして、その汎用性の向上を期待するのに最適となる音響反射板装置を提供することである。
【課題を解決するための手段】
【０００９】
上記した目的を達成するために、この発明による音響反射板装置の構成を、請求項1では、舞台の正面奥側に配在される正面反射板と、舞台の脇側に配在される側面反射板と、舞台の上方に配在される天井反射板とを有してなる音響反射板装置において、正面反射板が舞台の正面奥壁に保持されたリンク機構に連繋されると共に正面反射板の上端が正面奥壁に沿って垂下される牽引体に吊持され、天井反射板の基端が正面反射板の上端に回動可能に連繋されると共に天井反射板の先端側が舞台上方から垂下される牽引体に吊持されてなるとする。
【００１０】
そして、請求項２では、側面反射板が舞台の奥行き方向に折り畳み可能に形成されてなるとし、また、請求項３では、側面反射板が正面反射板に回動可能に連繋されてなるとし、さらに、請求項４では、側面反射板が正面反射板と分離可能とされると共に舞台の上方との間で昇降可能とされてなるとする。
【発明の効果】
【００１１】
それゆえ、請求項1の発明にあっては、舞台の正面奥壁に沿って垂下されている、たとえば、ワイヤからなる牽引体を上昇させて正面反射板を上昇させることで、正面反射板が上昇することになり、このときリンク機構が配在されているから、正面反射板が正面奥壁に対して平行移動するようにして、すなわち、いわゆる起立した状態のまま上昇する。
【００１２】
そして、この正面反射板の上昇で天井反射板の先端側を吊持している牽引体の緊張が緩み、したがって、天井反射板の先端側が下降し、すなわち、天井反射板が正面反射板の上端に連繋された基端を回転中心にして回転し、正面反射板に副うように折り畳まれる。
【００１３】
また、正面反射板が起立状態のまま最上昇されたとき、この正面反射板と天井反射板が舞台の正面奥壁に副って起立する状態に格納される。
【００１４】
さらに、上記した手順と逆の手順で、天井反射板がその先端側を上昇させるようにしながら展開されると共に正面反射板が舞台に起立される。
【００１５】
上記のとき、請求項２の発明にあっては、側面反射板が舞台の奥行き方向に折り畳み可能に形成されることで、側面反射板のコンパクト化が可能になる。
【００１６】
そして、請求項３の発明にあっては、側面反射板が正面反射板に回動可能に連繋されることで、側面反射板を正面反射板に副わせるように折り畳むことが可能になり、さらに、請求項４の発明にあっては、側面反射板が正面反射板と分離可能とされて舞台の上方との間で昇降可能とされることで、側面反射板の舞台上方への格納が可能になる。
【００１７】
その結果、この発明によれば、所望の音響効果が得られるのはもちろんのこと、音響反射板装置における小型軽量化を可能にして、セッティング時あるいは格納に際しての移動を容易にして、その汎用性の向上を期待するのに最適となる。
【発明を実施するための最良の形態】
【００１８】
以下に、図示した実施の形態に基づいて、この発明を説明するが、この発明による音響反射板装置は、図１および図２に示すように、たとえば、劇場における舞台Ｓの図１中および図２中でそれぞれ左側となる正面奥側に配設される正面反射板１と、舞台Ｓの左右の脇側にそれぞれ配設される側面反射板２と、舞台Ｓの上方に配在される天井反射板３とを有してなる。
【００１９】
そして、この音響反射板装置にあっては、正面反射板１が舞台Ｓの正面奥壁Ｓ１に保持されたリンク機構４に連繋されると共に正面反射板１の上端が正面奥壁Ｓ１に沿って垂下される吊りワイヤからなる牽引体５に吊持され、天井反射板３の基端が正面反射板１の上端に回動可能に連繋されると共に天井反射板２の先端側が舞台Ｓの上方から垂下される吊りワイヤからなる牽引体６に吊持されてなるとしている。
【００２０】
それゆえ、図示する使用状態にある音響反射板装置にあって、舞台Ｓの正面奥壁Ｓ１に沿って垂下されている牽引体５を上昇させて正面反射板１を上昇させることで、正面反射板１が上昇することになる。
【００２１】
このとき、正面反射板１は、リンク機構４の配在下に正面奥壁Ｓ１に連繋されているから、正面反射板１が正面奥壁Ｓ１に対して平行移動するようにして、すなわち、いわゆる起立した状態のまま上昇することになる。
【００２２】
そして、この正面反射板１の上昇で天井反射板３の先端側を吊持している牽引体６の緊張が緩み、したがって、天井反射板３の先端側が下降し、すなわち、天井反射板３が正面反射板１の上端に連繋された基端を回転中心にして回転し、正面反射板１に副うように折り畳まれることになる。
【００２３】
このとき、天井反射板３の先端側を吊持している牽引体６がいわゆる弛むことになる場合には、適宜の駆動源たるウインチの駆動で牽引体６を巻き取るようにする。
【００２４】
ちなみに、牽引体５，６たる吊りワイヤは、所定の機械的強度を有するのはもちろんで、図示しないが、多くの場合に、舞台Ｓの上方の天井近辺などに設置される上記のウインチから垂下されるとしている。
【００２５】
上記のようにして、正面反射板１が最上昇されたとき、この正面反射板１と天井反射板３が舞台Ｓの正面奥壁Ｓ１に副って起立された格納状態におかれることになる（図２参照）。
【００２６】
そして、上記した手順と逆の手順を採ることで、天井反射板３の先端側が上昇されるようになって展開されながら正面反射板１が舞台Ｓに起立されることになり、使用状態におかれることになる。
【００２７】
それゆえ、この発明による音響反射板装置にあって、正面反射板１は、起立した状態で格納されるから、倒された状態で格納される場合に比較して、舞台Ｓなどを大きく占領しないことになる。
【００２８】
そして、天井反射板３は、その基端が正面反射板１の上端に連繋された状態で正面反射板１に副うように折り畳まれるから、殆ど起立した状態におかれ、したがって、これを格納するについて、正面反射板１と同様に、舞台Ｓなどを大きく占領しないことになる。
【００２９】
また、天井反射板３は、その基端が正面反射板１の上端に連繋された状態で正面反射板１に副うように折り畳まれるから、これが正面反射板１よりも高く上方に突出しなくなる。
【００３０】
その結果、不使用時に格納状態におかれる音響反射板装置がいわゆる上方に大きく突出することで、図示しないが、たとえば、舞台Ｓの上方に配在されているバトン機構に干渉するなどの不具合を招来しないことになる。
【００３１】
また、天井反射板３が正面反射板１よりも高く上方に突出しないから、たとえば、音響反射板装置全体の大型化や重量の増大化を回避でき、これをセッティングしたり撤去したりする際の労力の削減を可能にし、さらには、いわゆる省エネを可能にし得ることになる。
【００３２】
以上からすれば、この発明にあっては、音響反射板装置における小型軽量化を可能にして、セッティング時あるいは格納に際しての移動を容易にし、その汎用性の向上を期待できることになる。
【００３３】
上記したように、正面反射板１および天井反射板３が形成されているとき、図示するところでは、側面反射板２が舞台Ｓの奥行き方向に折り畳み可能に形成されてなるとしている。
【００３４】
このように、側面反射板２が折り畳み可能に形成されることで、これが折り畳み不能に一体形成されている場合に比較して、格納に際して大きなスペースを必要とせずして、音響反射板装置全体の格納を容易にすることになる。
【００３５】
また、図示するところでは、側面反射板２は、正面反射板１と分離形成されていて、使用時には、舞台Ｓに立設されるのはもちろんだが、不使用時には、バトン機構を利用するなどで舞台Ｓの上方に吊持状態に格納されるとしている。
【００３６】
このとき、この側面反射板２が折り畳み可能に形成されている場合には、吊持状態での格納に有利になると言い得るが、舞台Ｓの上方に吊持して格納することからすれば、折り畳み可能に形成されていなくても、格納に際しての大きな支障にはならないと言い得る。
【００３７】
また、上記したところに代えて、側面反射板２が正面反射板１に回動可能に連繋されてなるとしても良く、この場合には、側面反射板２を正面反射板１に副わせるように折り畳むことが可能になる。
【００３８】
このとき、側面反射板２が折り畳み可能に形成されていても良いが、正面反射板１および天井反射板３と共に舞台Ｓの正面奥壁Ｓ１に副うように格納されることを鑑みると、折り畳まれることで舞台Ｓ側に大きく出っ張ることになるような不具合の招来を回避する上からは、折り畳み不能に形成されているとしても良いと言い得る。
【００３９】
ちなみに、側面反射板２が折り畳み可能に形成されるとき、その折り畳みおよび引伸ばしの各動作は、図示するところでは、いわゆる作業者の人手によるとしているが、これに代えて、図示しないが、たとえば、側面反射板２の背面に配設などされた適宜の駆動機構によるとしても良い。
【００４０】
ただ、図示する実施の形態のように、人手によるとする場合には、適宜の駆動機構を利用する場合に比較して、重量の軽減化による操作性や搬送性を良くし、また、コストの低減化を図る上で有利となる。
【００４１】
前記したところにあって、各反射板１，２，３は、それぞれが自己支持性を有するのに十分となる機械的強度を有するように形成されるのはもちろんのこと、図示しないが、それぞれが音響反射を可能にする仕様に構成されてなるもので、特に、それぞれのいわゆる正面が音響反射面に設定された状態でいわゆるフレーム構造に構成されていて、その軽量化が図られている。
【図面の簡単な説明】
【００４２】
【図１】この発明の一実施形態による音響反射板装置を使用状態で示す概略縦断面図である。
【図２】図１に示す音響反射板装置の不使用状態を図１と同様に示す図である。
【符号の説明】
【００４３】
１  正面反射板
２  側面反射板
３  天井反射板
４  リンク機構
５，６  牽引体たる吊りワイヤ
Ｓ  舞台
Ｓ１  正面奥壁
【図１】
2005052268.tif 000003
【図２】
2005052268.tif 000004